【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
少なくとも陽極電極、正孔輸送層、発光層、電子輸送層、陰極電極およびキャッピング層をこの順に有する有機エレクトロルミネッセンス素子において、前記キャッピング層が下記一般式（１）で表されるアリールアミン化合物を含む、有機エレクトロルミネッセンス素子。
【化１】
2015092485.tif 000001
（１）
（式中、Ａｒ１、Ａｒ２、Ａｒ３、Ａｒ４は相互に同一でも異なってもよく、置換もしくは無置換の芳香族炭化水素基、置換もしくは無置換の芳香族複素環基、置換もしくは無置換の縮合多環芳香族基を表し、ｎは０〜４の整数を表す。ここで、Ａｒ１、Ａｒ２、Ａｒ３、Ａｒ４の少なくとも１つは、下記構造式（Ｂ）で示される１価基を置換基として有するものとする。（但し、前記構造式（Ｂ）が下記構造式（Ｂ−１）、（Ｂ−２）、（Ｂ’）となる場合を除くものとする。））
【化２】
2015092485.tif 000002
（Ｂ）
（式中、Ｒ１、Ｒ２、Ｒ３、Ｒ４は相互に同一でも異なってもよく、連結基、もしくは水素原子、重水素原子、フッ素原子、塩素原子、シアノ基、ニトロ基、置換基を有していてもよい炭素原子数１ないし６の直鎖状もしくは分岐状のアルキル基、置換基を有していてもよい炭素原子数５ないし１０のシクロアルキル基、置換基を有していてもよい炭素原子数２ないし６の直鎖状もしくは分岐状のアルケニル基、置換基を有していてもよい炭素原子数１ないし６の直鎖状もしくは分岐状のアルキルオキシ基、置換基を有していてもよい炭素原子数５ないし１０のシクロアルキルオキシ基、置換もしくは無置換の芳香族炭化水素基、置換もしくは無置換の芳香族複素環基、置換もしくは無置換の縮合多環芳香族基、または置換もしくは無置換のアリールオキシ基であって、単結合、置換もしくは無置換のメチレン基、酸素原子、硫黄原子またはＮ−Ａｒ８を介して互いに結合して環を形成していてもよい。Ｘは炭素原子または窒素原子を表し、Ｙは炭素原子、酸素原子、硫黄原子、または窒素原子を表し、Ａｒ５は置換もしくは無置換の芳香族炭化水素基、置換もしくは無置換の芳香族複素環基、または置換もしくは無置換の縮合多環芳香族基、もしくは連結基を表し、Ａｒ６、Ａｒ７は相互に同一でも異なってもよく、置換もしくは無置換の芳香族炭化水素基、置換もしくは無置換の芳香族複素環基、または置換もしくは無置換の縮合多環芳香族基、もしくは連結基であって、Ｙが酸素原子もしくは硫黄原子である場合、ＹはＡｒ７を有さないものとし、ＸおよびＹが窒素原子である場合、Ａｒ５、Ａｒ６、Ａｒ７のいずれかひとつが置換基、もしくは連結基であるものとし、Ｘが窒素原子かつＹが炭素原子である場合、ＸはＡｒ６を有さないものとする。Ａｒ８は置換もしくは無置換の芳香族炭化水素基、置換もしくは無置換の芳香族複素環基、または置換もしくは無置換の縮合多環芳香族基を表す。ただし、Ｒ１、Ｒ２、Ｒ３、Ｒ４、Ａｒ５、Ａｒ６、Ａｒ７のいずれか１つのみが連結基であるものとし、Ｘが窒素原子、かつＹが酸素原子もしくは硫黄原子である場合を除く。）
【化３】
2015092485.tif 000003
（Ｂ−１）
（式中、Ｒ１、Ｒ２、Ｒ３、Ｒ４は相互に同一でも異なってもよく、水素原子、重水素原子、フッ素原子、塩素原子、シアノ基、ニトロ基、置換基を有していてもよい炭素原子数１ないし６の直鎖状もしくは分岐状のアルキル基、置換基を有していてもよい炭素原子数５ないし１０のシクロアルキル基、置換基を有していてもよい炭素原子数２ないし６の直鎖状もしくは分岐状のアルケニル基、置換基を有していてもよい炭素原子数１ないし６の直鎖状もしくは分岐状のアルキルオキシ基、置換基を有していてもよい炭素原子数５ないし１０のシクロアルキルオキシ基、置換もしくは無置換の芳香族炭化水素基、置換もしくは無置換の芳香族複素環基、置換もしくは無置換の縮合多環芳香族基、または置換もしくは無置換のアリールオキシ基であって、単結合、置換もしくは無置換のメチレン基、酸素原子、硫黄原子またはＮ−Ａｒ８を介して互いに結合して環を形成してもよい。Ａｒ８は置換もしくは無置換の芳香族炭化水素基、置換もしくは無置換の芳香族複素環基、または置換もしくは無置換の縮合多環芳香族基を表す。）
【化４】
2015092485.tif 000004
（Ｂ−２）
（式中、Ｒ１、Ｒ３、Ｒ４は相互に同一でも異なってもよく、水素原子、重水素原子、フッ素原子、塩素原子、シアノ基、ニトロ基、置換基を有していてもよい炭素原子数１ないし６の直鎖状もしくは分岐状のアルキル基、置換基を有していてもよい炭素原子数５ないし１０のシクロアルキル基、置換基を有していてもよい炭素原子数２ないし６の直鎖状もしくは分岐状のアルケニル基、置換基を有していてもよい炭素原子数１ないし６の直鎖状もしくは分岐状のアルキルオキシ基、置換基を有していてもよい炭素原子数５ないし１０のシクロアルキルオキシ基、置換もしくは無置換の芳香族炭化水素基、置換もしくは無置換の芳香族複素環基、置換もしくは無置換の縮合多環芳香族基、または置換もしくは無置換のアリールオキシ基であって、Ｒ３とＲ４は単結合、置換もしくは無置換のメチレン基、酸素原子、硫黄原子またはＮ−Ａｒ８を介して互いに結合して環を形成してもよい。Ａｒ６、Ａｒ８は相互に同一でも異なってもよく、置換もしくは無置換の芳香族炭化水素基、置換もしくは無置換の芳香族複素環基、または置換もしくは無置換の縮合多環芳香族基を表す。）
【化５】
2015092485.tif 000005
（Ｂ’）
（式中、Ｒ３、Ｒ４、Ｒ５、Ｒ６、Ｒ７、Ｒ８は相互に同一でも異なってもよく、連結基、もしくは水素原子、重水素原子、フッ素原子、塩素原子、シアノ基、ニトロ基、置換基を有していてもよい炭素原子数１ないし６の直鎖状もしくは分岐状のアルキル基、置換基を有していてもよい炭素原子数５ないし１０のシクロアルキル基、置換基を有していてもよい炭素原子数２ないし６の直鎖状もしくは分岐状のアルケニル基、置換基を有していてもよい炭素原子数１ないし６の直鎖状もしくは分岐状のアルキルオキシ基、置換基を有していてもよい炭素原子数５ないし１０のシクロアルキルオキシ基、置換もしくは無置換の芳香族炭化水素基、置換もしくは無置換の芳香族複素環基、置換もしくは無置換の縮合多環芳香族基、または置換もしくは無置換のアリールオキシ基であって、単結合、置換もしくは無置換のメチレン基、酸素原子、硫黄原子またはＮ−Ａｒ８を介して互いに結合して環を形成していてもよい。Ｘは炭素原子または窒素原子を表し、Ｙは炭素原子、酸素原子、硫黄原子、または窒素原子を表し、Ａｒ５は置換もしくは無置換の芳香族炭化水素基、置換もしくは無置換の芳香族複素環基、または置換もしくは無置換の縮合多環芳香族基、もしくは連結基を表し、Ａｒ６、Ａｒ７は相互に同一でも異なってもよく、置換もしくは無置換の芳香族炭化水素基、置換もしくは無置換の芳香族複素環基、または置換もしくは無置換の縮合多環芳香族基、もしくは連結基であって、Ｙが酸素原子もしくは硫黄原子である場合、ＹはＡｒ７を有さないものとし、ＸおよびＹが窒素原子である場合、Ａｒ５、Ａｒ６、Ａｒ７のいずれかひとつが置換基、もしくは連結基であるものとし、Ｘが窒素原子かつＹが炭素原子である場合、ＸはＡｒ６を有さないものとする。Ａｒ８は置換もしくは無置換の芳香族炭化水素基、置換もしくは無置換の芳香族複素環基、または置換もしくは無置換の縮合多環芳香族基を表す。ただし、Ｒ３、Ｒ４、Ｒ５、Ｒ６、Ｒ７、Ｒ８、Ａｒ５、Ａｒ６、Ａｒ７のいずれか１つのみが連結基であるものとし、Ｘが窒素原子、かつＹが酸素原子もしくは硫黄原子である場合を除く。）
【請求項２】
前記構造式（Ｂ）が下記構造式（Ｂ−３）で示される１価基である、請求項１記載の有機エレクトロルミネッセンス素子。
【化６】
2015092485.tif 000006
（Ｂ−３）
（式中、Ｒ１、Ｒ２、Ｒ３、Ｒ４は相互に同一でも異なってもよく、水素原子、重水素原子、フッ素原子、塩素原子、シアノ基、ニトロ基、置換基を有していてもよい炭素原子数１ないし６の直鎖状もしくは分岐状のアルキル基、置換基を有していてもよい炭素原子数５ないし１０のシクロアルキル基、置換基を有していてもよい炭素原子数２ないし６の直鎖状もしくは分岐状のアルケニル基、置換基を有していてもよい炭素原子数１ないし６の直鎖状もしくは分岐状のアルキルオキシ基、置換基を有していてもよい炭素原子数５ないし１０のシクロアルキルオキシ基、置換もしくは無置換の芳香族炭化水素基、置換もしくは無置換の芳香族複素環基、置換もしくは無置換の縮合多環芳香族基、または置換もしくは無置換のアリールオキシ基であって、単結合、置換もしくは無置換のメチレン基、酸素原子、硫黄原子またはＮ−Ａｒ８を介して互いに結合して環を形成してもよい。Ａｒ８は置換もしくは無置換の芳香族炭化水素基、置換もしくは無置換の芳香族複素環基、または置換もしくは無置換の縮合多環芳香族基を表す。）
【請求項３】
前記構造式（Ｂ）が下記構造式（Ｂ−４）で示される１価基である、請求項１記載の有機エレクトロルミネッセンス素子。
【化７】
2015092485.tif 000007
（Ｂ−４）
（式中、Ｒ１、Ｒ２、Ｒ３、Ｒ４は相互に同一でも異なってもよく、水素原子、重水素原子、フッ素原子、塩素原子、シアノ基、ニトロ基、置換基を有していてもよい炭素原子数１ないし６の直鎖状もしくは分岐状のアルキル基、置換基を有していてもよい炭素原子数５ないし１０のシクロアルキル基、置換基を有していてもよい炭素原子数２ないし６の直鎖状もしくは分岐状のアルケニル基、置換基を有していてもよい炭素原子数１ないし６の直鎖状もしくは分岐状のアルキルオキシ基、置換基を有していてもよい炭素原子数５ないし１０のシクロアルキルオキシ基、置換もしくは無置換の芳香族炭化水素基、置換もしくは無置換の芳香族複素環基、置換もしくは無置換の縮合多環芳香族基、または置換もしくは無置換のアリールオキシ基であって、単結合、置換もしくは無置換のメチレン基、酸素原子、硫黄原子またはＮ−Ａｒ８を介して互いに結合して環を形成してもよい。Ａｒ８は置換もしくは無置換の芳香族炭化水素基、置換もしくは無置換の芳香族複素環基、または置換もしくは無置換の縮合多環芳香族基を表す。）
【請求項４】
前記一般式（１）において、ｎが０である、請求項１記載の有機エレクトロルミネッセンス素子。
【請求項５】
前記一般式（１）において、ｎが１である、請求項１記載の有機エレクトロルミネッセンス素子。
【請求項６】
前記一般式（１）において、ｎが２である、請求項１記載の有機エレクトロルミネッセンス素子。
【請求項７】
前記一般式（１）において、Ａｒ１、Ａｒ２、Ａｒ３、Ａｒ４のいずれか２つが、前記構造式（Ｂ）で示される１価基を置換基として有するものである、請求項１記載の有機エレクトロルミネッセンス素子。
【請求項８】
前記一般式（１）において、Ａｒ１およびＡｒ４が、前記構造式（Ｂ）で示される１価基を置換基として有するものである、請求項１記載の有機エレクトロルミネッセンス素子。
【請求項９】
前記キャッピング層の厚さが、３０ｎｍ〜１２０ｎｍの範囲内である、請求項１記載の有機エレクトロルミネッセンス素子。
【請求項１０】
前記キャッピング層の屈折率が、該キャッピング層を透過する光の波長が４５０ｎｍ〜７５０ｎｍの範囲内において、１．８５以上である、請求項１記載の有機エレクトロルミネッセンス素子。
【請求項１１】
下記一般式（１）で表される化合物を有機エレクトロルミネッセンス素子のキャッピング層に用いる方法。
【化８】
2015092485.tif 000008
（１）
（式中、Ａｒ１、Ａｒ２、Ａｒ３、Ａｒ４は相互に同一でも異なってもよく、置換もしくは無置換の芳香族炭化水素基、置換もしくは無置換の芳香族複素環基、置換もしくは無置換の縮合多環芳香族基を表し、ｎは０〜４の整数を表す。ここで、Ａｒ１、Ａｒ２、Ａｒ３、Ａｒ４の少なくとも１つは、下記構造式（Ｂ）で示される１価基を置換基として有するものとする。（但し、前記構造式（Ｂ）が下記構造式（Ｂ−１）、（Ｂ−２）、（Ｂ’）となる場合を除くものとする。））
【化９】
2015092485.tif 000009
（Ｂ）
（式中、Ｒ１、Ｒ２、Ｒ３、Ｒ４は相互に同一でも異なってもよく、連結基、もしくは水素原子、重水素原子、フッ素原子、塩素原子、シアノ基、ニトロ基、置換基を有していてもよい炭素原子数１ないし６の直鎖状もしくは分岐状のアルキル基、置換基を有していてもよい炭素原子数５ないし１０のシクロアルキル基、置換基を有していてもよい炭素原子数２ないし６の直鎖状もしくは分岐状のアルケニル基、置換基を有していてもよい炭素原子数１ないし６の直鎖状もしくは分岐状のアルキルオキシ基、置換基を有していてもよい炭素原子数５ないし１０のシクロアルキルオキシ基、置換もしくは無置換の芳香族炭化水素基、置換もしくは無置換の芳香族複素環基、置換もしくは無置換の縮合多環芳香族基、または置換もしくは無置換のアリールオキシ基であって、単結合、置換もしくは無置換のメチレン基、酸素原子、硫黄原子またはＮ−Ａｒ８を介して互いに結合して環を形成していてもよい。Ｘは炭素原子または窒素原子を表し、Ｙは炭素原子、酸素原子、硫黄原子、または窒素原子を表し、Ａｒ５は置換もしくは無置換の芳香族炭化水素基、置換もしくは無置換の芳香族複素環基、または置換もしくは無置換の縮合多環芳香族基、もしくは連結基を表し、Ａｒ６、Ａｒ７は相互に同一でも異なってもよく、置換もしくは無置換の芳香族炭化水素基、置換もしくは無置換の芳香族複素環基、または置換もしくは無置換の縮合多環芳香族基、もしくは連結基であって、Ｙが酸素原子もしくは硫黄原子である場合、ＹはＡｒ７を有さないものとし、ＸおよびＹが窒素原子である場合、Ａｒ５、Ａｒ６、Ａｒ７のいずれかひとつが置換基、もしくは連結基であるものとし、Ｘが窒素原子かつＹが炭素原子である場合、ＸはＡｒ６を有さないものとする。Ａｒ８は置換もしくは無置換の芳香族炭化水素基、置換もしくは無置換の芳香族複素環基、または置換もしくは無置換の縮合多環芳香族基を表す。ただし、Ｒ１、Ｒ２、Ｒ３、Ｒ４、Ａｒ５、Ａｒ６、Ａｒ７のいずれか１つのみが連結基であるものとし、Ｘが窒素原子、かつＹが酸素原子もしくは硫黄原子である場合を除く。）
【化１０】
2015092485.tif 000010
（Ｂ−１）
（式中、Ｒ１、Ｒ２、Ｒ３、Ｒ４は相互に同一でも異なってもよく、水素原子、重水素原子、フッ素原子、塩素原子、シアノ基、ニトロ基、置換基を有していてもよい炭素原子数１ないし６の直鎖状もしくは分岐状のアルキル基、置換基を有していてもよい炭素原子数５ないし１０のシクロアルキル基、置換基を有していてもよい炭素原子数２ないし６の直鎖状もしくは分岐状のアルケニル基、置換基を有していてもよい炭素原子数１ないし６の直鎖状もしくは分岐状のアルキルオキシ基、置換基を有していてもよい炭素原子数５ないし１０のシクロアルキルオキシ基、置換もしくは無置換の芳香族炭化水素基、置換もしくは無置換の芳香族複素環基、置換もしくは無置換の縮合多環芳香族基、または置換もしくは無置換のアリールオキシ基であって、単結合、置換もしくは無置換のメチレン基、酸素原子、硫黄原子またはＮ−Ａｒ８を介して互いに結合して環を形成してもよい。Ａｒ８は置換もしくは無置換の芳香族炭化水素基、置換もしくは無置換の芳香族複素環基、または置換もしくは無置換の縮合多環芳香族基を表す。）
【化１１】
2015092485.tif 000011
（Ｂ−２）
（式中、Ｒ１、Ｒ３、Ｒ４は相互に同一でも異なってもよく、水素原子、重水素原子、フッ素原子、塩素原子、シアノ基、ニトロ基、置換基を有していてもよい炭素原子数１ないし６の直鎖状もしくは分岐状のアルキル基、置換基を有していてもよい炭素原子数５ないし１０のシクロアルキル基、置換基を有していてもよい炭素原子数２ないし６の直鎖状もしくは分岐状のアルケニル基、置換基を有していてもよい炭素原子数１ないし６の直鎖状もしくは分岐状のアルキルオキシ基、置換基を有していてもよい炭素原子数５ないし１０のシクロアルキルオキシ基、置換もしくは無置換の芳香族炭化水素基、置換もしくは無置換の芳香族複素環基、置換もしくは無置換の縮合多環芳香族基、または置換もしくは無置換のアリールオキシ基であって、Ｒ３とＲ４は単結合、置換もしくは無置換のメチレン基、酸素原子、硫黄原子またはＮ−Ａｒ８を介して互いに結合して環を形成してもよい。Ａｒ６、Ａｒ８は相互に同一でも異なってもよく、置換もしくは無置換の芳香族炭化水素基、置換もしくは無置換の芳香族複素環基、または置換もしくは無置換の縮合多環芳香族基を表す。）
【化１２】
2015092485.tif 000012
（Ｂ’）
（式中、Ｒ３、Ｒ４、Ｒ５、Ｒ６、Ｒ７、Ｒ８は相互に同一でも異なってもよく、連結基、もしくは水素原子、重水素原子、フッ素原子、塩素原子、シアノ基、ニトロ基、置換基を有していてもよい炭素原子数１ないし６の直鎖状もしくは分岐状のアルキル基、置換基を有していてもよい炭素原子数５ないし１０のシクロアルキル基、置換基を有していてもよい炭素原子数２ないし６の直鎖状もしくは分岐状のアルケニル基、置換基を有していてもよい炭素原子数１ないし６の直鎖状もしくは分岐状のアルキルオキシ基、置換基を有していてもよい炭素原子数５ないし１０のシクロアルキルオキシ基、置換もしくは無置換の芳香族炭化水素基、置換もしくは無置換の芳香族複素環基、置換もしくは無置換の縮合多環芳香族基、または置換もしくは無置換のアリールオキシ基であって、単結合、置換もしくは無置換のメチレン基、酸素原子、硫黄原子またはＮ−Ａｒ８を介して互いに結合して環を形成していてもよい。Ｘは炭素原子または窒素原子を表し、Ｙは炭素原子、酸素原子、硫黄原子、または窒素原子を表し、Ａｒ５は置換もしくは無置換の芳香族炭化水素基、置換もしくは無置換の芳香族複素環基、または置換もしくは無置換の縮合多環芳香族基、もしくは連結基を表し、Ａｒ６、Ａｒ７は相互に同一でも異なってもよく、置換もしくは無置換の芳香族炭化水素基、置換もしくは無置換の芳香族複素環基、または置換もしくは無置換の縮合多環芳香族基、もしくは連結基であって、Ｙが酸素原子もしくは硫黄原子である場合、ＹはＡｒ７を有さないものとし、ＸおよびＹが窒素原子である場合、Ａｒ５、Ａｒ６、Ａｒ７のいずれかひとつが置換基、もしくは連結基であるものとし、Ｘが窒素原子かつＹが炭素原子である場合、ＸはＡｒ６を有さないものとする。Ａｒ８は置換もしくは無置換の芳香族炭化水素基、置換もしくは無置換の芳香族複素環基、または置換もしくは無置換の縮合多環芳香族基を表す。ただし、Ｒ３、Ｒ４、Ｒ５、Ｒ６、Ｒ７、Ｒ８、Ａｒ５、Ａｒ６、Ａｒ７のいずれか１つのみが連結基であるものとし、Ｘが窒素原子、かつＹが酸素原子もしくは硫黄原子である場合を除く。）